(57)【要約】【課題】発光装置の発光領域を拡大しても、配線基板への発光装置の実装性を維持することができ、且つ、拡大された発光領域からの出射光を効率的に導光部材へ入光可能な発光装置実装構造体を提供する。【解決手段】基材の上面に配線が設けられた配線基板に、樹脂成形体を有する発光装置が実装された発光装置実装構造体において、配線基板は周縁に凹部を有し、樹脂成形体は、配線と電気的に接続されるアウターリードが下方に配置される配置部及び配置部よりも下方に突出した突出部を備える下面と、発光素子を搭載して突出部まで設けられた開口部を有する側面と、を備え、開口部の少なくとも一部は、凹部に収納される。【選択図】図１
2015092551.tif 000002
【特許請求の範囲】
【請求項１】
基材の上面に配線が設けられた配線基板に、樹脂成形体を有する発光装置が実装された発光装置実装構造体において、
前記配線基板は周縁に凹部を有し、
前記樹脂成形体は、前記配線と電気的に接続されるアウターリードが下方に配置される配置部及び前記配置部よりも下方に突出した突出部を備える下面と、発光素子を搭載して前記突出部まで設けられた開口部を有する側面と、を備え、
前記開口部の少なくとも一部は、前記凹部に収納されることを特徴とする発光装置実装構造体。
【請求項２】
前記凹部は、前記基材の溝部と、前記配線とによって形成されることを特徴とする請求項１に記載の発光装置実装構造体。
【請求項３】
前記開口部の少なくとも一部は、前記溝部に収納されることを特徴とする請求項２に記載の発光装置実装構造体。
【請求項４】
前記溝部は、前記基材の厚み方向において貫通していることを特徴とする請求項２又は３に記載の発光装置実装構造体。
【請求項５】
前記凹部は、前記配線によって形成されることを特徴とする請求項１に記載の発光装置実装構造体。
【請求項６】
前記凹部は、光反射性部材を有することを特徴とする請求項１〜５のいずれか１項に記載の発光装置実装構造体。
【請求項７】
請求項１〜６のいずれか１項に記載の発光装置実装構造体と、前記発光装置実装構造体の発光装置の開口部に面する側面を入光部とし、前記開口部からの光を導光する導光部材と、前記導光部材の下方に配置される反射シートと、を備え、
前記入光部の下面は、前記開口部の下面以下に配置されることを特徴とする照明装置。
【請求項８】
前記反射シートの一部は、前記発光装置実装構造体の配線基板の凹部に配置される請求項７に記載の照明装置。
【請求項９】
前記反射シートは周縁に凸部を有し、前記反射シートの前記凸部は、前記配線基板の前記凹部に配置される請求項８に記載の照明装置。
【請求項１０】
前記導光部材は下面に凸部を有し、前記導光部材の前記凸部は、前記配線基板の前記凹部に収納される請求項７〜９のいずれか１項に記載の照明装置。
【発明の詳細な説明】
【技術分野】
【０００１】
本発明は、発光装置を配線基板に実装した発光装置実装構造体に関する。
【背景技術】
【０００２】
近年、発光ダイオード（ＬＥＤ）は、その利点から照明用光源や表示装置として様々な分野で利用されている。特に、テレビ、携帯電話、モニタ、表示器等の液晶表示装置用バックライトには、側面発光型（サイドビュー）のＬＥＤが多く用いられており、多機能化とともに小型軽量化が要求されている。側面発光型のＬＥＤは、発光面が配線基板の上面に垂直になるように実装され、導光板端面に光が入射するように配置されることで、ディスプレイ等の面全体を均一に発光させることができる。
【０００３】
ところで、側面発光型のＬＥＤでは、特許文献１のように、正面を光出射方向とする筐体の底面に、一対の段差部が設けられていることがある。この段差部には、筐体と一体に成形されたリード端子のうち、筐体から導出され、筐体に沿うように曲げられるアウターリードが配置される。この筐体の底面と、電極部底面を略同一面とすることで、ＬＥＤ表示器を回路基板へ実装する際の固定を安定させ、実装後の高さのばらつきを抑制している。
【０００４】
特許文献２の発光装置では、長手方向両側面に接続端子が設けられたチップ型発光装置と、それを実装する配線基板とを有する発光装置が開示されている。その配線基板には、チップ型発光装置を埋設するための収納用切り欠き部が形成されている。従って、チップ型発光装置の高さ方向の厚みが小さくなり、発光装置の固定を確実に行うことができる。
【先行技術文献】
【特許文献】
【０００５】
【特許文献１】特開２００６−１９３１３号公報
【特許文献２】特開２００３−２１８４００号公報
【特許文献３】特開２００６−１３５２８０号公報
【発明の概要】
【発明が解決しようとする課題】
【０００６】
さらに、特許文献３では、発光ダイオードのパッケージ本体の下部が端子方向へ突出し、その下部が、基板の凹部に収納されたバックライトが開示されている。このような構成とすると、バックライトにおける発光ダイオードの装着高さを減らすことができる。
【０００７】
上記のような構成とすると、実装性のよい発光装置とできる。そして、今後はさらに発光出力の向上が大きな課題となっており、そのためには、発光領域の拡大が効果的である。しかしながら、発光装置の厚みと回路基板への実装性を考慮すると、発光領域（開口部）の回路基板方向への拡大には限界がある。また、特許文献３に記載のバックライトでは、導光板が基板上に配置されるため、凹部に収納されるＬＥＤ窓からの出射光を、導光板へ入光させることができないという問題があった。
【０００８】
本発明は、前記課題に鑑みてなされたものであり、発光装置の発光領域を拡大しつつ、配線基板への発光装置の実装性を維持することができ、且つ、拡大された発光領域からの出射光を効率的に導光部材へ入光可能な発光装置実装構造体を提供することを目的とする。
【課題を解決するための手段】
【０００９】
本発明に係る発光装置実装構造体は、基材の上面に配線が設けられた配線基板に、樹脂成形体を有する発光装置が実装されており、配線基板は周縁に凹部を有し、樹脂成形体は、配線と電気的に接続されるアウターリードが下方に配置された配置部及び配置部よりも下方に突出した突出部を備える下面と、発光素子を搭載して突出部まで設けられた開口部を有する側面と、を備え、開口部の少なくとも一部は、凹部に収納されることを特徴とする。
【００１０】
本発明に係る発光装置実装構造体によれば、発光装置の発光領域を拡大しつつ、配線基板への発光装置の実装性を維持することができ、且つ、拡大された発光領域からの出射光を効率的に導光部材へ入光可能な発光装置実装構造体を提供することができる。
【図面の簡単な説明】
【００１１】
【図１】図１は、本発明の一実施形態に係る発光装置実装構造体の概略斜視図である。
【図２Ａ】図２Ａは、本発明の一実施形態に係る発光装置実装構造体の概略正面図である。
【図２Ｂ】図２Ｂは、図２Ａにおける配線基板および突出部付近の部分拡大図である。
【図３】図３は、図２ＡのＡ−Ａ断面における概略断面図である。
【図４】図４は、本発明の一実施形態に係る発光装置実装構造体を配置した液晶表示装置の構造を示す概略平面図である。
【図５】図５は、本発明の一実施形態に係る発光装置実装構造体の配線基板および突出部付近の部分拡大図である。
【図６Ａ】図６Ａは、本発明の一実施形態に係る発光装置実装構造体の配線基板の概略断面図である。
【図６Ｂ】図６Ｂは、本発明の一実施形態に係る発光装置実装構造体の配線基板の概略図である。
【図６Ｃ】図６Ｃは、本発明の一実施形態に係る発光装置実装構造体の配線基板の概略図である。
【図６Ｄ】図６Ｄは、本発明の一実施形態に係る発光装置実装構造体の配線基板の概略図である。
【図６Ｅ】図６Ｅは、本発明の一実施形態に係る発光装置実装構造体の配線基板の概略図である。
【図７】図７は、本発明の一実施形態に係る発光装置実装構造体の製造工程を示す概略平面図である。
【図８】図８は、本発明の一実施形態に係る発光装置実装構造体の製造工程を示す概略平面図である。
【図９Ａ】図９Ａは、本発明の一実施形態に係る発光装置の概略正面図である。
【図９Ｂ】図９Ｂは、本発明の一実施形態に係る発光装置の概略正面図である。
【図１０】図１０は、本発明の一実施形態に係る発光装置実装構造体の配線基板および突出部付近の部分拡大図である。
【図１１Ａ】図１１Ａは、本発明の一実施形態に係る照明装置の概略断面図である。
【図１１Ｂ】図１１Ｂは、本発明の一実施形態に係る照明装置の概略断面図である。
【図１１Ｃ】図１１Ｃは、本発明の一実施形態に係る照明装置において、発光装置の開口部と導光部材の入光部の位置関係を示す概略図である。
【図１２】図１２は、本発明の一実施形態に係る照明装置の概略断面図である。
【図１３】図１３は、本発明の一実施形態に係る照明装置の概略斜視図である。
【図１４Ａ】図１４Ａは、本発明の一実施形態に係る照明装置の導光部材の概略斜視図である。
【図１４Ｂ】図１４Ｂは、本発明の一実施形態に係る照明装置の導光部材を側面側から見た概略図である。
【発明を実施するための形態】
【００１２】
以下、本発明の実施形態について図面を参照して説明する。ただし、本発明は以下に説明する発光装置実装構造体に特定されるものではなく、構成部品の寸法・材質・形状・相対的配置等は特定的な記載がない限りは単なる説明例にすぎず、各図面が示す部材の大きさや位置関係等は、説明を明確にするために誇張していることがある。さらに、同一の名称、符号は原則として同一もしくは同質の部材を示しており、詳細説明を適宜省略する。本発明を構成する各要素および実施形態は、特に排除する記載がない限り、適宜組み合わせ、変更、改変等して適用できる。
【００１３】
＜実施形態１＞
図１は、実施形態１に係る発光装置実装構造体１００の概略斜視図である。図２Ａは発光装置実装構造体１００の概略正面図であり、図２Ｂは図２Ａにおける配線基板および突出部付近の部分拡大図である。図３は、図２ＡのＡ−Ａ断面における概略断面図である。なお、発光装置実装構造体１００は、配線基板２０に発光装置１０が実装されたものである。
【００１４】
配線基板２０は、基材２２の上面に一対の配線２１を備えており、上面に凹部２４を有する。実施形態１の凹部２４は、基材２２の上面に形成された溝部２４ａと、配線２１によって構成されている。また、凹部２４は、配線基板２０の周縁に形成される。
【００１５】
樹脂成形体１は発光装置１０のパッケージであり、リードフレーム６と一体に成形されている。樹脂成形体１の下面には、パッケージから導出された一対のリードフレーム６の一部である一対のアウターリード６ａが下方に配置された配置部３と、配置部３よりも下方に突出した突出部４と、を有する。突出部４は、アウターリード６ａの下面よりも下方に突出する。
さらに、樹脂成形体１の側面は開口部２を備え、開口部２は少なくとも配置部３より上方から突出部４にかけて形成され、アウターリード６ａの下面よりも下方まで設けられる。開口部２は発光素子８を搭載するキャビティであり、樹脂成形体１と樹脂成形体に包囲されるリードフレーム（図３のインナーリード６ｂ）とで構成される開口部２の底面には、発光素子８が載置されている。
【００１６】
発光素子８は、ワイヤ９によりインナーリード６ｂと電気的に接続される。さらに、開口部２には発光素子８を被覆する封止部材５が充填されており、その封止部材５の表面が、発光装置１０の主な発光面となる。封止部材５は、発光素子８からの光に励起される蛍光体を含有している。
【００１７】
前述のアウターリード６ａが、配線基板２０の一対の配線２１と半田等の導電性の接着剤７により各々電気的に接続されることで、発光装置実装構造体１００が構成される。ここで、配線２１の凹部２４側の端部は、正面図で見て、基材の溝部２４ａよりも外側に設けられている。そうすることで、基材２２の上面が一部露出し、配線の配置がばらついたとしても、配線のめくれが発生しにくく、貼り付け強度が低下しにくい。さらに、接着剤７が配線の端部を被覆しても、溝部２４ａ内にまでは配置されにくくなるため、接着剤７と突出部４の接触を防ぐことができる。このように、配線２１の凹部側の端部が溝部２４ａよりも外側にある場合、詳述すると、凹部２４は溝部２４ａと基材２２の上面と配線２１の端部によって構成される。なお、接着剤７が配線２１の凹部側の端部を覆うように配置されると、実質的には、凹部２４は基材２２の溝部２４ａと基材２２の上面と接着剤７とで構成されるが、凹部２４の構成について接着剤７は含めないものとして記載する。
【００１８】
ここで、樹脂成形体１の突出部４の少なくとも一部は、配線基板２０の凹部２４に収納されている。さらに、突出部４まで設けられた開口部２は、配線基板２０の凹部２４に収納される。つまり、開口部２の下面（開口部２を形成する樹脂成形体１の内側壁のうち最も下側の面）は、配線基板２０の配線２１の上面（溝部と配線による凹部２４の開口面）よりも下方にある。また、本実施形態では、凹部２４の底面には、光反射性部材６０が配置されている。
【００１９】
以上のような発光装置実装構造体１００とすると、配線とアウターリードの実装性を低下させることなく、突出部４（ひいては開口部２）を下方に拡大することができる。さらに、拡大した突出部４及び開口部２は凹部２４に収納されるので、発光装置実装構造体１００を薄型に維持することができる。さらに、発光装置１０の開口部２からの出射光を、配線基板２０に遮られることなく、効率的に出射させることができる。
【００２０】
以下、本発明の発光装置実装構造体の各構成要素について詳説する。なお、以下の説明では、発光装置１０の前面である発光面と背面に垂直な方向を“奥行き方向”、発光装置１０の側面に垂直な方向、すなわち本実施形態では樹脂成形体１の長手方向を“幅方向”、発光装置１０の上面と下面に垂直な方向、すなわち本実施形態では樹脂成形体１の短手方向を“高さ方向”とする。
【００２１】
＜配線基板＞
実施形態１の配線基板２０は、少なくとも、発光装置１０と電気的に接続される配線２１と、その配線２１を支持するベースとなる基材２２とを有する。配線基板２０の上面には、凹部２４が設けられている。実施形態１の凹部２４は、基材２２に形成された溝部２４ａと配線２１によって構成されている。従って、配線２１の厚みと溝部２４ａの深さを合わせたものが、凹部２４の深さとなる。このような凹部２４とすると、上面が略同一面上にある溝部を有さない基材とその上面に形成された配線による凹部よりも、深い凹部を形成しやすく、発光領域（開口部）を下方向に拡大させやすいので好ましい。
【００２２】
なお、凹部２４は、配線基板２０の周縁に設けられる。詳述すると、本実施形態の凹部２４は、配線基板２０に形成される切欠きである。すなわち、実装される発光装置１０の光出射方向には、凹部２４の内側壁（配線２１の端部及び溝部２４ａの内側壁）が形成されない。したがって、発光装置１０からの出射光を遮ることなく出射させることができる。
また、図３に示されるように、本実施形態では、発光装置１０の発光面（樹脂成形体１の開口面）が、配線基板２０の端面２０Ａよりも奥方に配置される。すなわち、配線基板２０の凹部２４は、発光装置１０の発光面よりも前方に延在する。
【００２３】
配線基板２０には、配線２１と基材２２以外に構成層が積層されていてもよく、特に、構成層として凹部２４に光反射性部材６０を有していると好ましい。実施形態１の光反射性部材６０は、配線基板２０の凹部２４内の底面付近に形成されている。光反射性部材６０については、後述する。
【００２４】
実施形態１の配線基板２０（硬質基板）の厚みは、約０．３〜０．５ｍｍ程度であると好ましい。配線基板は可撓性基板（ＦＰＣ）とすることもでき、その場合の配線基板２０の厚みは約０．１〜０．２ｍｍ程度である。可撓性基板（ＦＰＣ）は、硬質基板に比べて薄く、その基材も非常に薄いため、可撓性基板を用いる際の凹部は、上面が略同一面上にある基材とその上面の配線によって形成されると好ましい。
【００２５】
（基材）
基材２２は、絶縁性であると好適であるが、絶縁膜等を介して配線と電気的に絶縁させることで、導電性の母材を用いてもよい。基材２２の母材としては、酸化アルミニウム、窒化アルミニウム、酸化ジルコニウム、窒化ジルコニウム、酸化チタン、窒化チタン又はこれらの混合物を含むセラミックスや、銅、鉄、ニッケル、クロム、アルミニウム、銀、金、チタン又はこれらの合金を含む金属や、エポキシ樹脂、ＢＴレジン、ポリイミド樹脂などの樹脂又はこれらの繊維強化樹脂（強化材はガラスやアルミナなど）が挙げられる。母材の樹脂には、発光素子８からの光を効率良く反射させるために、酸化チタンなどの光反射性材料を配合すると好ましい。実施形態１の基材２２の厚みは、約０．２〜０．３ｍｍ程度とすると好ましい。
【００２６】
凹部２４を構成する溝部２４ａは、基材２２の周縁に設けられる。溝部２４ａは、治具を用いた研磨や、溝部を形成する場所以外にマスクをし、エッチング又は切削することで形成できる。また、基材２２を多層構造とし、溝部を形成しない略平坦な上面を有する層に、周縁に貫通孔等の開口部分を有する層を積層することで、溝部２４ａを形成することもできる。溝部２４ａの深さは、例えば、実施形態１のように基材の厚みを約０．２〜０．３ｍｍ程度とすると、約０．１５〜０．２ｍｍ程度（基材２２の厚みに対して約３０〜８０％程度）とすると好ましい。溝部２４ａは、少なくとも発光装置１０の突出部４を収納できる幅を有し、発光装置１０の配置部３にある一対のアウターリード６ａの突出部側の端部の幅よりも狭い幅とすると好ましい。
【００２７】
溝部２４ａの形状としては、図２に示す溝部２４ａのように正面から見て略矩形状のほか、図６Ｄの溝部６４ａのように略台形状としてもよいし、図６Ｅの溝部７４ａのように丸みを帯びた形状としてもかまわない。溝部を略台形状とすると、上方へ向かって開口が広くなるように側壁がテーパー状になっているため、溝部に光反射性部材が設けられている場合、特に光の反射効率が向上するので好ましい。
【００２８】
また、図６Ｃに示されるように、溝部５４ａは、基材５２の厚み方向に貫通していてもよい。そうすることで、貫通した凹部５４を形成することができる。貫通した凹部５４は、配線５１と基材５２の厚みを調整することで、容易に深さを変更することができる。したがって、貫通した凹部５４は、深く形成しやすいため、発光装置の突出部（開口部）を下方へ拡大させやすい。
貫通した溝部５４ａは、打ち抜き加工等で形成することができる。また、溝部２４ａは配線基板２０の周縁に設けられるので、図７に示すように、基材２２に対して溝部に対応する箇所にレーザー等で点線状等の切り込み線Ｂをいれておくと、基材２２に矢印方向の引張り応力を加えることで、容易に溝部（凹部）を形成することが可能である。
【００２９】
凹部２４の深さは、他の部材（突出部４、後述する光反射性部材６０、配置部３のアウターリード６ａ、配線２１とアウターリード６ａ間の接着剤７等）との厚み関係によって、適宜調整することが好ましい。例えば、実施形態１のように、硬質な配線基板を用い、基材に溝部を設ける場合の凹部２４の深さは、約０．１７〜０．２７ｍｍ程度とすることができ、配線基板２０の厚みに対して１０〜６０％程度とすることができる。
【００３０】
（配線）
配線２１は、少なくとも基材２２の上面に形成されており、発光装置１０のアウターリード６ａと電気的に接続される。材料としては、Ｃｕ，Ｎｉ，Ｐｄ，Ｗ，Ｃｒ，Ｔｉ，Ａｌ，Ａｇ，Ａｕ又はそれらの合金等が挙げられ、放熱性の観点から特にＣｕ又はＣｕ合金が好ましい。配線２１の表面には、Ａｇ，Ｐｔ，Ｓｎ，Ａｕ，Ｃｕ，Ｒｄ、又はこれらの合金、酸化銀や銀合金等の酸化物の被膜が形成されていてもよい。特に、実装性の観点から、発光装置１０が接続される部分にはＡｕや半田等の鍍金又はフラックス処理が施されていると好ましい。これらの配線２１は、鍍金、蒸着、スパッタ、印刷、塗布等により形成することができる。配線２１は、接着剤を介して基材２２と貼付されていてもよく、エポキシ樹脂、シリコーン樹脂、ポリイミド樹脂、又はこれらのハイブリッド樹脂等の絶縁性接着剤が好適に用いられる。配線２１の厚みは、約１８〜７０μｍ程度とすると好ましい。
【００３１】
配線２１は、発光装置１０のアウターリード６ａと接続できる位置に形成されていれば、その形状や形成位置は特に限定されない。実施形態１の正負一対の配線２１は、溝部よりも外側に設けられており、溝部２４ａから約０．２〜０．３ｍｍ程度外側に形成されている。また、配線２１は、配線基板２０の端面２０Ａ（基材２２の端面）から約０．３〜０．４ｍｍ以上離間して形成されると好ましい。そうすることで、周辺に導電性の部材が配置される場合、ショートを防ぐことができるため好ましい。さらに、電気信号を送る回路等が配置される場合、ノイズ等の誤作動を防止することができる。なお、一対の配線２１間の幅は、凹部（の開口面）の幅となるので、発光装置１０の突出部４が収納できるように、突出部４の長手方向の幅よりも広くする必要がある。また、一対の配線２１間の幅は、発光装置１０の配置部３にある一対のアウターリード６ａの突出部側の端部の間の幅よりも狭い方が好ましい。
【００３２】
（構成層）
前述のように、配線基板２０には配線２１と基材２２の他に、構成層２３が積層されていてもよい。構成層２３としては、例えば、基材２２の上面の配線２１とビアホール等で接続する下面の裏面配線や、光反射性部材６０等が挙げられるが、その他にも適宜設けることができる。以下、構成層２３の一例である光反射性部材６０について詳述する。
【００３３】
（光反射性部材）
可撓性を有する配線基板２０（ＦＰＣ等）の基材２２には、通常、褐色で光反射率が低く、発光素子８からの出射光を吸収しやすいポリイミドフィルム等が用いられることが多い。また、ガラスエポキシ等で形成される硬質の配線基板２０の基材２２も、少なからず発光素子８の出射光を吸収してしまう。これらの基材の光吸収を抑えるために、凹部２４内に光反射性部材６０が配置されると、発光装置１０の輝度が向上する。さらに、発光装置１０の光出射方向に白色の光反射性部材６０が配置されることで、褐色の基材が露出している場合に比べて、発光色の色味改善の効果も期待できる。
【００３４】
図６Ａ〜図６Ｅは、本発明の一実施形態に係る発光装置実装構造体の配線基板の概略断面図である。なお、図６Ｄ及び図６Ｅは、前述のように、実施形態１と異なる形状の溝部を有した配線基板の一例を表している。
図６Ａには、配線２１と溝部２４ａによる凹部２４を有する実施形態１に対応する配線基板２０が図示されており、図６Ｂに示される配線基板は、上面が略同一面上にある基材３２とその上面の配線３１によって形成される凹部３４を有している。
【００３５】
図６Ａ〜図６Ｃに示される配線基板には、構成層として光反射性部材６０が配置されている。なお、図６Ａ及び図６Ｂの構成層２３,３３は、光反射性部材でも裏面配線でもよく、特に限定されない。光反射性部材６０は、例えば、白色レジストや白色インク等で凹部内に形成することができる。具体的には、印刷や塗布等で形成することができる。また、発光装置実装構造体１００が設置される照明装置の一構成部材である反射シート６１を、光反射性部材６０として配置することも可能である。
【００３６】
例えば、図８のように上面視において、発光装置実装構造体の設置側の反射シート６１の端部（周縁）に、予め配線基板２０の凹部２４の幅と奥行きと対応するような複数の凸部６２を加工し、凸部６２を配線基板２０の凹部２４内に差し込むように配置することで、反射シート６１を光反射性部材６０とすることができる。このように配置すると、反射シートと凹部の位置を調整することで、光反射性部材６０を容易に所望の位置に配置させることができる。さらに、配線基板２０に発光装置１０を実装した後でも、光反射性部材を配置することが可能である。その他、図６Ｃに示されるように、貫通した溝部５４ａを有する基材５２の下方に配置してもかまわない。貫通した凹部５４を有する配線基板５０は、特に下方に光が抜けやすいため、構成層として光反射性部材６０が配置されると好ましい。
【００３７】
また、配線基板２０の凹部２４に白色レジストや白色インク等で光反射性部材６０を形成し、さらに、凹部２４内に反射シート６１（６０）を配置してもかまわない。そうすることで、発光装置１０の光をより効率的に反射させることが可能である。
【００３８】
図６Ａ〜図６Ｃの光反射性部材６０は、いずれも凹部の底面付近に配置されているか、凹部の下方に配置されているが、それ以外にも凹部に自由に配置することができる。また、光反射性部材６０は、凹部内の広範囲に形成されていると好ましい。具体的には、光反射性部材６０が凹部の底面全域を覆っており、凹部の側面まで形成されていると好ましく、凹部の約７０％以上を覆っていると、光の取り出し効率が向上するので好ましい。特に、凹部が発光装置の発光面（開口部２の開口面）よりも前方に延在する場合、その延在する凹部の底面に光反射性部材６０が設けられると、発光装置１０の開口部から下方向に出射した光を効率的に上方（後述する導光部材方向）へ反射させることができる。
【００３９】
光反射性部材６０の材料としては、母材となる樹脂材料に光反射性材料を含有するもの等を用いることができる。母材としては、シリコーン樹脂、エポキシ樹脂、アクリル樹脂等の絶縁樹脂組成物を用いると好ましい。光反射性材料の材料としては、ＴｉＯ２，ＺｒＯ２，Ｎｂ２Ｏ５，Ａｌ２Ｏ３，ＭｇＦ，ＡｌＮ，ＳｉＯ２から選択される少なくとも１種を用いることができる。反射シート６１は、例えば、ポリエチレンテレフタレート（ＰＥＴ）にチタン酸バリウム等を含有したものが好ましい。
【００４０】
凹部内に配置される光反射性部材６０（反射シート６１）は、少なくとも突出部４と接触しないように（すなわち、凹部２４の深さと、配置部３のアウターリードの厚み６ａと、配線２１とアウターリード間６ａの接着剤７の厚みとを合わせた厚みよりも薄く）形成される。光反射性部材６０の厚みは、凹部２４に発光装置１０の突出部４が収納できるように、凹部２４の深さと突出部４の高さ方向の厚みによって適宜調整することが好ましい。すなわち、突出部４の下面と凹部２４の底面との離間距離よりも小さい厚みで形成されると好ましい。例えば、実施形態１の光反射性部材６０の厚みは約０．１〜０．２ｍｍ程度とすることができる。
【００４１】
＜発光装置＞
本実施形態の発光装置１０は、側面発光型（サイドビュー型）の発光ダイオードであり、少なくとも樹脂成形体１と一対のリードフレーム６と、発光素子８と、封止部材５と、を備えている。
【００４２】
（樹脂成形体）
樹脂成形体１は、一対のリードフレーム６と一体に成形されたパッケージである。樹脂成形体１は、下面に、パッケージの外側へ導出された一対のアウターリード６ａが下方に配置される一対の配置部３と、配置部３よりも下方に突出した突出部４を有する。配置部３は、樹脂成形体１の下面の長手方向の両端部に設けられており、突出部４はその間に形成される。突出部４の少なくとも一部は、配線基板２０の凹部２４に収納される。つまり、突出部４の下面は、少なくとも正負一対の配線２１の上面以下に配置される。さらに、樹脂成形体１は側面に発光素子８を搭載する開口部２を有しており、開口部２は少なくとも一部が突出部４まで設けられる。実施形態１では、突出部４まで設けられた開口部２の一部も凹部２４に収納される。すなわち、開口部２の下面（開口部２を形成する樹脂成形体１の内側壁のうち最も下側の面）が配線２１の上面よりも下にある。なお、実施形態１では、発光装置１０の開口部２の下面は、配線２１の上面よりも下方であって、溝部２４ａの開口面以上の高さに配置される。従って、発光装置１０の下方向において発光領域が拡大されている。
【００４３】
突出部４は、少なくとも一部が凹部２４に収納されることから、突出部４の高さ方向の厚みａ（配置部３の下面から突出部４の下面までの厚み）は、配置部３のアウターリード６ａと、配線２１とアウターリード６ａを接着する接着剤７の厚みを合わせた厚みｃより大きく、配置部３のアウターリード６ａと、配線２１とアウターリード６ａを接着する接着剤７の厚みと、配線基板２０の凹部２４の深さとを合わせた厚み以下で（凹部２４に光反射性部材６０が配置される場合は、さらに光反射性部材６０の厚みを差し引いて）形成される。実施形態１では、突出部４の高さ方向の厚みａは、例えば、樹脂成形体１の上面から配置部３の下面までの厚みの約３０〜７０％程度であると好ましく、約０．２〜０．４ｍｍ程度とすることができる。
【００４４】
凹部２４に収納される突出部４の高さ方向の厚みｂは、配線と同じ程度、またはそれ以上の厚みであると、発光領域である開口部２を有効に拡大することができ好ましい。実施形態１では、例えば、凹部２４に収納される突出部４の厚みｂは約０．１〜０．５ｍｍ程度以上とすることができる。さらに、凹部２４に収納される開口部２の厚みは約０．０４〜０．４ｍｍ程度とすることができる。また、溝部２４ａに収納される突出部４の厚みは約０．０２〜０．３ｍｍ程度とすることができる。なお、実施形態１では、開口部２は溝部２４ａの開口面よりも上方に配置される。
この場合、例えば、開口部２が配線基板２０の凹部２４に収納されない（すなわち、開口部２の下面（開口部２を形成する樹脂成形体１の内側壁のうち最も下側の面）が正負一対の配線２１の上面よりも上にある）場合と比較して、開口部２を約５％程度拡大することができ、発光装置１０の光束を約１〜３％向上させることができる。すなわち、発光装置１０が実装される発光装置実装構造体１００を用いる照明装置の輝度を約１〜３％程度向上させることができる。
【００４５】
実施形態１の樹脂成形体１は、正面(開口部側)から見て略Ｔ字形状である。突出部４の形状は、下方へ向かうほど狭くなっており、配線基板２０（凹部２４の側壁）や接着剤との接触を回避しやすい形状となっている。開口部２は、樹脂成形体１よりも一回り小さい略Ｔ字形状を有しており、突出部４の開口部２は突出部４に対応するように下方に向かって狭くなるように形成されている。しかし、樹脂成形体１及び開口部２の形状はこれに限られるものではなく、樹脂成形体１と開口部２の形状は対応していなくてもかまわない。その他、図９に示される発光装置１２，１３の突出部４のように、略矩形状、丸みを帯びた形状等、適宜選択することができる。突出部の底面が丸みを帯びた形状であると、底面が角を有する場合と比較して、使用する樹脂成形体の樹脂量を少量とすることができる。さらに、開口部（発光領域）が曲線を有していると、樹脂の流れがよくなり樹脂の成形性が向上する。
【００４６】
樹脂成形体１は、樹脂等を母材とし、射出成形、インサート成形、押出成形、トランスファ成形等により成形することができる。熱可塑性樹脂の材料としては、脂肪族ポリアミド樹脂、半芳香族ポリアミド樹脂、ポリエチレンテレフタレート、ポリシクロヘキサンテレフタレート、液晶ポリマー、ポリカーボネート樹脂、シンジオタクチックポリスチレン、ポリフェニレンエーテル、ポリフェニレンスルフィド、ポリエーテルスルホン樹脂、ポリエーテルケトン樹脂、ポリアリレート樹脂などが挙げられる。熱硬化性樹脂の材料としては、エポキシ樹脂、シリコーン樹脂、シリコーン変性樹脂、ポリイミド樹脂、ポリウレタン樹脂、ポリビスマレイミドトリアジン樹脂などが挙げられる。また、これらの母材中に、充填剤又は着色顔料として、ガラス、シリカ、酸化チタン、酸化マグネシウム、炭酸マグネシウム、水酸化マグネシウム、炭酸カルシウム、水酸化カルシウム、珪酸カルシウム、珪酸マグネシウム、ワラストナイト、マイカ、酸化亜鉛、チタン酸バリウム、チタン酸カリウム、ホウ酸アルミニウム、酸化アルミニウム、炭化ケイ素、酸化アンチモン、スズ酸亜鉛、ホウ酸亜鉛、酸化鉄、酸化クロム、酸化マンガン、カーボンブラックなどの粒子又は繊維を混入させることができる。
【００４７】
（リードフレーム）
リードフレーム６は、樹脂成形体１と一体に形成されており、樹脂成形体１から導出されたアウターリード６ａと、樹脂成形体１に包囲されたインナーリード６ｂからなる。アウターリード６ａは、樹脂成形体１の下面の配置部３の下方に沿うように屈曲させて配置する。この配置部３のアウターリード６ａと、配線２１を接合させることで、発光装置１０と配線基板２０を電気的に接続できる。樹脂成形体１の下面に対して略垂直な開口部２の底面に露出したインナーリード６ｂには、発光素子８が載置される。リードフレーム６の厚みは、約０．１〜０．２ｍｍ程度であると好ましい。
【００４８】
リードフレーム６の母材としては、Ｃｕ，Ｆｅ、Ｎｉ、Ｐｄ、Ｗ、Ｃｒ、Ａｌ、Ａｇ、Ａｕ、Ｔｉ又はそれらの合金が挙げられる。特に、放熱性の観点においては銅又は銅合金、発光素子との接合信頼性においては鉄又は鉄合金が好ましい。特に、銅又は鉄入り銅とすると、放熱性が高く好ましい。リードフレーム６は、これらの金属板にプレスやエッチングなどの加工を施すことで作製することができる。また、リードフレーム６の表面には、Ａｇ，Ｎｉ，Ｐｄ，Ｐｔ，Ｓｎ，Ａｕ，Ｃｕ，Ｒｄ、又はこれらの合金が形成されていてもよい。特に、発光素子８が接合される部分の表面が、Ａｇで被覆されていると好ましい。これらの被膜は、鍍金、蒸着、スパッタ、印刷、塗布などにより形成することができる。
【００４９】
（発光素子）
発光素子８は、ＬＥＤ素子などの半導体発光素子を用いることができる。発光素子８は、接着剤等によって、開口部２の底面に露出した一方のインナーリード６ｂに載置される。載置面の形状は、矩形、多角形、円形、楕円形状など、特に限定されない。発光素子８は、種々の半導体で構成される素子構造に正負一対の電極が設けられていればよい。素子構造は、少なくとも第１導電型（ｎ型）層と第２導電型（ｐ型）層により構成され、その間に活性層を有する。正負一対の電極が同一面側に設けられている場合、各電極がワイヤ９で開口部の素子載置面であるインナーリード６ｂと接続されていてもよいし、各電極が導電性接着剤で素子載置面のインナーリード６ｂと接続されるフリップチップ実装としてもよい。なお、発光素子８の実装面側に、ＡｇやＡｌ等の金属膜や反射膜を設けることによって、光の取り出し効率を高めることができる。
【００５０】
発光素子８は、用途に応じて任意の波長のものを選択することができるが、蛍光体から出射される波長変換光との混色光を得る上で、可視光を出射するものであると好ましい。例えば、青色（発光波長４３０ｎｍ〜４９０ｎｍ）、緑色（発光波長４９０ｎｍ〜５７０ｎｍ）の発光素子としては、窒化物系半導体（ＩｎＸＡｌＹＧａ１−Ｘ−ＹＮ、０≦Ｘ、０≦Ｙ、Ｘ＋Ｙ≦１）等を用いることができる。また、赤色（発光波長６２０ｎｍ〜７５０ｎｍ）の発光素子としては、ＧａＡｌＡｓ、ＡｌＩｎＧａＰ等を用いることができる。
【００５１】
発光素子８の外形状は特に限定されないが、本実施形態では、配線基板２０の凹部２４により、突出部４及び開口部２を拡大できるので、通常よりも大きい発光素子や、複数の発光素子を載置させることで、発光装置１０の明るさを向上させることができる。さらに、複数の異なる発光色の発光素子（例えば、赤色、緑色、青色発光の発光素子等）を実装することで、発光色の色再現範囲を拡大することが可能である。複数の発光素子は、インナーリードやワイヤにより直列又は並列に接続してもよい。なお、素子載置面（インナーリード６ａ）上における発光素子８の高さ方向（例えば発光装置の短手方向）の位置は、略中央とするほか、片寄っていてもよい。例えば、発光素子８を上方に片寄らせることで、発光素子８の下方側の空間を広くし、そこに蛍光体を多く存在させることもできる。このような構成とすると、発光素子８から下方へ出射される光によって波長変換光を得ながら、発光素子８上方に出射される光を、蛍光体による光損失を抑え、発光装置１０外部へ効率よく取り出すことができる。
【００５２】
（封止部材）
封止部材５は、少なくとも発光素子８を被覆して、埃・水分・外力などから保護する部材である。封止部材５の母材は、絶縁性であり、発光素子８からの出射光を透過可能であればよい。具体的には、シリコーン樹脂、エポキシ樹脂、フェノール樹脂、ポリカーボネート樹脂、アクリル樹脂、ＴＰＸ樹脂、ポリノルボルネン樹脂、又はこれらの樹脂を１種以上含むハイブリッド樹脂等が用いられ、ガラスでもかまわない。特に、シリコーン樹脂は、耐熱性や耐光性に優れるので好ましい。封止部材５は、その母材中に、充填剤や蛍光体など、種々の機能を持つ粒子が添加されてもよい。充填剤は、拡散剤や着色剤などを用いることができる。具体的には、シリカ、酸化チタン、酸化マグネシウム、炭酸マグネシウム、水酸化マグネシウム、炭酸カルシウム、水酸化カルシウム、珪酸カルシウム、酸化亜鉛、チタン酸バリウム、酸化アルミニウム、酸化鉄、酸化クロム、酸化マンガン、ガラス、カーボンブラックなどが挙げられる。なお、封止部材５は、複数の層で構成されていてもよいが、単一層で構成されていると光反射や剥離を抑えられ好ましい。
【００５３】
封止部材５は、発光素子８からの出射光の少なくとも一部を波長変換可能な蛍光体を含有していると、発光装置１０の発光を所望の発光色とでき好ましい。蛍光体は、例えば、ユーロピウム、セリウム等のランタノイド系元素で主に賦活される窒化物系蛍光体・酸窒化物系蛍光体、より具体的には、ユーロピウムで賦活されたα又はβサイアロン型蛍光体、各種アルカリ土類金属窒化シリケート蛍光体、ユーロピウム等のランタノイド系元素、マンガン等の遷移金属系元素により主に賦活されるアルカリ土類金属ハロゲンアパタイト蛍光体、アルカリ土類のハロシリケート蛍光体、アルカリ土類金属シリケート蛍光体、アルカリ土類金属ホウ酸ハロゲン蛍光体、アルカリ土類金属アルミン酸塩蛍光体、アルカリ土類金属ケイ酸塩、アルカリ土類金属硫化物、アルカリ土類金属チオガレート、アルカリ土類金属窒化ケイ素、ゲルマン酸塩、セリウム等のランタノイド系元素で主に賦活される希土類アルミン酸塩、希土類ケイ酸塩又はユーロピウム等のランタノイド系元素で主に賦活される有機物及び有機錯体等が挙げられる。また、赤色蛍光体であるＫＳＦ等も用いることができる。前記以外でも同様の性能、効果を有する蛍光体を使用することができる。これにより、可視波長の一次光及び二次光の混色光（例えば白色系）を出射する発光装置や、紫外光の一次光に励起されて可視波長の二次光を出射する発光装置とすることができる。蛍光体は、封止部材中だけでなく、他の構成部材中に含有させてもよいし、各部材どうしの間などに適宜設けることができる。
【００５４】
（ワイヤ）
ワイヤ９は、発光素子８の電極とインナーリード６ｂを電気的に接続する部材である。ワイヤ９は、Ａｕ，Ｃｕ，Ａｇ，Ｐｔ，Ａｌ又はこれらの合金の金属線を用いることができる。特に、封止部材５からの応力による破断が生じにくく、熱抵抗などに優れるＡｕが好ましい。また、ワイヤ９は、光の取り出し効率を高めるために、少なくとも表面がＡｇで構成されていると好適である。
【００５５】
（接着剤）
接着剤７は、配置部３のアウターリード６ａと配線基板２０の配線２１の間に配置され、両部材を接着する。材料としては、Ａｇ，Ａｕ，Ｐｄ等の導電性ペーストや、錫-ビスマス系、錫-銅系、錫-銀系、金-錫系等の半田、低融点金属のろう材など導電性のものを用いる。特に、接着剤７は半田等の合金であると好ましい。接着剤７の量により、凹部２４に収納される突出部４（開口部２）の下面の高さ方向の位置を調整することも可能である。
【００５６】
発光素子８とインナーリード６ｂを接着する接着剤は、エポキシ樹脂、シリコーン樹脂、ポリイミド樹脂、又はこれらの変性樹脂やハイブリッド樹脂などの絶縁性接着剤を用いる。
【００５７】
（保護素子）
発光装置１０には、過電圧印加による発光素子８の破壊を防止するために、ツェナーダイオードやコンデンサ等の保護素子が搭載されていてもかまわない。
【００５８】
（アンダーフィル）
アンダーフィルは、発光素子８等を外部応力や腐食等の劣化から保護するものであり、例えば、発光素子８をインナーリード６ｂへフリップチップ実装した後に、素子下部へ含浸させることができる。材料は、上記封止部材５の母材と同様とすることができ、酸化チタンの粒子を含有するシリコーン樹脂など、白色の樹脂で構成されると、発光素子８からの出射光がインナーリード６ｂ側へ漏れ出すことを抑制することができる。
【００５９】
＜照明装置＞
図４は、発光装置実装構造体１００と導光部材８０と反射シート６１とを有する照明装置１０００の構造を示す概略平面図である。発光装置実装構造体１００は、液晶ディスプレイ等の照明装置のバックライトとして利用される際、導光部材８０とともに、照明装置１０００の構成部材を保持するホルダー９０に配置される。
【００６０】
発光装置実装構造体１００は、導光部材８０の側面である入光部８０Ａ側に配置される。詳述すると、発光装置１０の発光面（開口部２の開口面）と導光部材８０の入光部８０Ａとが面するように配置される。導光部材８０の下方には、反射シート６１が配置される。反射シート６１は、導光部材８０から漏れた光を導光部材８０方向へ反射させることができ、光反射性部材６０として利用することができる。その他、照明装置１０００は、導光部材８０の上方に、拡散シート、プリズムシート、偏光シート、液晶パネル（ＬＣＤ）等を有していてもかまわない。なお、導光部材８０の入光部８０Ａの下面は、発光装置１０の開口部２の下面以下、より好ましくは、突出部４の開口部２の下面と略同一面上に配置される。
以下、図１１〜図１４を参照して、照明装置１０００の各構成部材について詳述する。なお、図１１Ｃは、照明装置１０００において、発光装置１０に対向する導光部材８０の入光部８０Ａの範囲を示すものであり、入光部８０Ａが面する部分が斜線で示されている。
【００６１】
（導光部材）
導光部材８０は、例えば、図１１Ａに示されるように、配線基板２０の基材２２上に配置することができる。そうすることで、発光装置１０の発光面（開口部２の開口面）と導光部材８０の入光部８０Ａとを、より近くに配置することができる。その他、図１２に示されるように、凹部２４が形成される側の配線基板２０の端面２０Ａと、導光部材８０の入光部８０Ａとが対向する（すなわち、導光部材８０は基材２２上に配置されない）ように配置してもよい。また、配線基板２０の配線２１上に配置してもかまわない。
【００６２】
本実施形態では、凹部２４が配線基板２０の周縁に形成されるので、導光部材８０の入光部を、発光装置１０の発光面（開口部２の開口面）に対して所望の高さに対向配置させることができる。すなわち、図１１Ａに示されるように、導光部材８０の入光部の下面を、開口部２の下面と略同一面上に配置させることができる。なお、発光装置１０の開口部２の下面よりも下方に配置されてもかまわない。そうすることで、凹部２４の開口面以上の高さに配置される開口部２からの出射光だけでなく、凹部２４の開口面よりも下方にある開口部２からの出射光も、導光部材８０へ効率的に入光させることができる。さらに、発光装置１０の発光面（開口部２の開口面）から、下方向へ出射した光を、凹部２４の光反射性部材６０によって、導光部材８０方向に反射させることができる。
【００６３】
通常、導光部材８０は板状の導光板であるが、ブロック状や棒状等でもよい。導光部材８０は、その側面を入光部とし、上面を光出射面とするのが好ましいが、下面（裏面）を入光部とし、上面を光出射面としてもよい。導光部材８０の平面形状は、矩形状のほか、円形や多角形状など用途に応じて適宜変更可能である。導光部材８０の厚みは導光部材全域で略同じであっても、徐々に薄く又は厚くなっていても、部分的に異なっていてもよい。また、導光部材８０の上面及び/又は下面には凹凸が形成されていてもよい。
【００６４】
導光部材８０及び導光部材８０の入光部８０Ａの形状は、導光部材８０が配置される面の高さと、発光装置１０の開口部２の下面（開口部２を形成する樹脂成形体１の内側壁のうち最も下側の面）の高さの関係によって確定される。具体的には、導光部材８０を配置する面が発光装置１０の開口部２の下面以上の高さに位置する場合、下面が略平坦である入光部８０Ａ（例えば、略矩形状等）を有する略平板形状の導光部材８０を配置させることができる。また、導光部材８０を配置する面が発光装置１０の開口部２の下面よりも下方に位置する場合は、下面に凸部８１を有する入光部８０Ａを備える導光部材８０を配置することができる。なお、導光部材８０の入光部８０Ａ下面の凸部８１は、配線基板２０の凹部２４内に配置される。
【００６５】
実施形態１では、図１１Ａのように、発光装置１０の突出部４の開口部２の下面が、凹部２４の開口面（配線２１の上面）よりも下方、且つ溝部２４ａの開口面以上の高さに配置される。すなわち、開口部２は凹部２４に収納されるが、溝部２４ａには収納されない。また、導光部材８０は、配線基板２０の基材２２上に配置される。したがって、基材２２上に略平板形状の導光部材８０を配置させることで、発光装置１０の発光面（開口部２の開口面）の略全域に、導光部材８０の入光部８０Ａを対向配置させることができる。
【００６６】
また、図１１Ｂ及び図１１Ｃに示されるように、発光装置１０の突出部４の開口部２の下面が、溝部２４ａの開口面よりも下方に配置される、すなわち、開口部２が溝部２４ａに収納される場合は、少なくとも溝部２４ａに収納された開口部２の厚みだけ突出する凸部８１を下面に有する導光部材８０を、基材２２上に配置させることができる。そうすることで、発光装置１０の発光面（開口部２の開口面）の略全域に、導光部材８０の入光部８０Ａを対向配置させることができる。
【００６７】
なお、導光部材８０が入光部８０Ａの下面に凸部８１を有する場合、入光部８０Ａと反対側の導光部材８の側面８０Ｂは、下面に凸部８１を有していなくてもよい。例えば、図１４Ａ及び図１４Ｂに示される導光部材８０ように、入光部８０Ａは下面に凸部８１を有し、入光部８０Ａと反対側の側面８０Ｂは略矩形状であり、入光部８０Ａから側面８０Ｂへ向かって、凸部８１が徐々に略平坦となるように傾斜した下面を有する形状とすることができる。そうすることで、開口部２からの光を効率的に入光部８０Ａへ入射させることができ、導光部材から光を効率的に出射させることができる。
【００６８】
以上のように、導光部材８０の形状を調整することで、導光部材８０の入光部の下面と発光装置１０の開口部２の下面（開口部２を形成する樹脂成形体１の内側壁のうち最も下側の面）とを揃えることができる。したがって、配線基板２０の凹部２４（溝部２４ａ）に収納された開口部２からの出射光を、導光部材８０の入光部へ効率的に入光させることができる。さらに、照明装置１０００の輝度を向上させることができる。なお、導光部材８０を配線基板２０の配線２１上に配置する場合も、下面に凸部８１を有する導光部材８０を配置することで、導光部材８０の凸部８１を配線基板２０の凹部２４に収納することができ、導光部材８０の下面と開口部２の下面とを揃えることができる。
【００６９】
また、配線基板２０の端面２０Ａと導光部材８０の入光部８０Ａとが対向するように配置される場合は、図１２に示されるように、略平板状の導光部材８０を配置することで、導光部材８０の入光部８０Ａが開口部２の下面までをカバーするように配置させることができる。
【００７０】
なお、導光部材８０の入光部８０Ａの上面は、発光装置１０の開口部２の上面と略同じ又はそれよりも高く配置されると好ましい。すなわち、導光部材８０の入光部８０Ａの厚みは、発光装置１０の開口部２の上面から下面までの厚み以上であると好ましい。したがって、例えば、図１１Ａに示される実施形態１の導光部材８０の入光部８０Ａの厚みは、約０．６〜０．８ｍｍとすることができる。また、図１１Ｂ及び図１１Ｃに示される導光部材８０の入光部８０Ａは、例えば、厚み約０．４〜０．８ｍｍの略平板形状に、厚み約０．０５〜０．２ｍｍ程度の凸部８１が形成された形状とすることができる。
【００７１】
導光部材８０の材料としては、発光装置１０からの出射光を透過可能であればよく、具体的には、アクリル樹脂、ポリカーボネート樹脂、ＰＭＭＡ樹脂、ポリノルボルネン樹脂、ポリスチレン樹脂、又はガラス等が挙げられる。なお、前述のような導光部材８０の凸部８１は、射出成型で形成してもよいし、加熱しながら圧縮成型すること形成してもかまわない。
【００７２】
（反射シート）
反射シート６１は、導光部材８０の下方に配置される。また、前述のように、配線基板２０の凹部２４内に配置されると好ましい。詳述すると、上面視で周縁に配線基板２０の凹部２４以下の幅と奥行きの凸部６２が形成された反射シート６１を準備し、凸部６２を発光装置実装構造体１００の発光装置１０の突出部４の下面と、配線基板２０の凹部２４の底面との間に差し込むことで、配置することができる。そうすることで、反射シート６１は、発光装置１０の底面の下から導光部材８０の下面の下まで延在するように配置される。したがって、発光装置１０の樹脂成形体１から下方に漏れ出した光や、発光装置１０の開口部から下方に出射された光を、反射シート６１によって導光部材８０方向へ反射させることが可能である。反射シート６１の凸部６２は、例えば金型等で抜型することで形成できる。
【００７３】
なお、図１２に示されるように、配線基板２０の端面２０Ａと導光部材８０の入光部８０Ａが対向するように配置される場合、反射シート６１は凸部６２を有していなくてもよい。例えば、上面視で略矩形状の反射シート６１を、その端面が配線基板２０の端面２０Ａに対向するように、導光部材８０の下に配置することができる。また、反射シート６１は配線基板２０の下に配置してもかまわない。
【００７４】
＜実施形態２＞
図５は、実施形態２に係る発光装置実装構造体２００の配線基板３０および発光装置１０Ａの突出部４Ａ付近の部分拡大図である。発光装置実装構造体２００の配線基板３０は可撓性基板（ＦＰＣ）であり、溝部を有さない略平坦な基材３２の上面と配線３１によって、凹部３４が形成されている。また、発光装置１０Ａの樹脂成形体１Ａの開口部２Ａの下面（開口部２Ａを形成する樹脂成形体１Ａの内側壁のうち最も下側の面）は、発光装置１０Ａのアウターリード６ａＡ下面よりも下方にあって、配線基板３０の配線３１の上面（凹部３４の開口面）よりも下方にある。また、発光装置１０Ａの突出部４Ａの高さ方向の厚みは、実施形態１の突出部４の高さ方向の厚みよりも小さい。さらに、光反射性部材や、基材上面の配線３１とビアホール等で接続されて配線基板３０の裏面に露出する裏面配線等が、構成層３３として、基材３２の下方に形成されている。なお、構成層は凹部３４に形成されてもよい。それ以外の構成については、実施形態１に係る発光装置実装構造体１００と実質上同様であり、同様の構成については適宜説明を省略する。
【００７５】
配線３１は、発光装置実装構造体１００の配線２１と同様の材料、形成方法で適宜設けることができる。実施形態２では、配線３１の高さ方向の厚みが凹部３４の深さとなり、その厚みは約１８〜７０μｍ程度である。このように、凹部３４が略平坦な基材３２の上面と配線３１で形成されると、基材３２に溝部を加工したり多層構造にしなくてもよいので、量産性を高めることができる。
【００７６】
実施形態２の発光装置実装構造体２００では、実施形態１と同様に、発光装置１０Ａの発光面（開口部２Ａ）を拡大しつつ、発光装置１０Ａと配線基板３０の実装性と、発光装置実装構造体２００の薄さを維持できる。また、凹部３４が配線基板３０の周縁に設けられるので、凹部３４に収納された開口部２Ａからの出射光を、効率的に出射させることができる。また、本実施形態の発光装置１０Ａが実装された発光装置実装構造体２００を有する照明装置において、配線基板３０の凹部３４に収納された開口部２Ａからの出射光を、導光部材へ効率的に入射させることができる。したがって、照明装置の輝度を向上させることができる。
【００７７】
＜実施形態３＞
実施形態３の発光装置実装構造体３００では、図１０に示されるように、凹部５４が貫通した配線基板５０上に発光装置１０Ｂが実装される。配線基板５０の基材５２の溝部５４ａが貫通しているので、少なくとも、凹部５４の側面は配線５１と溝部５４ａ（貫通孔）の側面によって構成され、凹部５４の下方には、基材５２の下方に配置された層の上面（例えば、ここでは、反射シート等の光反射性部材６０の上面）が配置される。すなわち、光反射性部材６０の少なくとも一部が、凹部５４（溝部５４ａ）の底面に相当する位置に配置されている。また、発光装置１０Ｂの突出部４Ｂの高さ方向の厚みは、実施形態１及び実施形態２の突出部４,４Ａの高さ方向の厚みよりも大きい。さらに、突出部４Ｂ及び開口部２Ｂは溝部５４ａに収納される。それ以外の構成については、実施形態１に係る発光装置実装構造体１００と実質上同様であり、同様の構成については適宜説明を省略する。
【００７８】
貫通した溝部５４ａは、前述の溝部の形成方法に加え、打ち抜き加工等で容易に形成することができる。したがって、量産性を高めることができる。実施形態３のように溝部５４ａが貫通していると、配線５１と基材５２の厚みを調整することで凹部の深さを容易に調節できる。したがって、深い凹部５４を形成しやすく、発光装置１０Ｂの突出部４Ｂ及び開口部２Ｂを下方へ拡大させやすい。よって、発光装置１０Ｂの光束を容易に向上させることができ、発光装置実装構造体３００及び発光装置実装構造体３００を用いた照明装置の輝度を向上させることができる。例えば、本実施形態の発光装置１０Ｂの開口部２Ｂは、実施形態１の発光装置１０の開口部２と比べて、約３〜１０％拡大することができ、光束は約１〜３％程度向上させることが可能である。
【００７９】
＜実施例１＞
実施例１の発光装置実装構造体１００は、図１に示す例の構造を有する。発光装置１０は側面発光型であり、ＳＭＤ式のＬＥＤである。発光装置１０の樹脂成形体１（突出部４を除く）の外形は、正面側から見て縦約０．４７５ｍｍ、横約３．６ｍｍで、突出部４の外形は、正面側から見て縦約０．３２５ｍｍ、横約１．３〜２．３ｍｍである。発光装置１０のパッケージである樹脂成形体１は、発光領域となる開口部２を有しており、開口部２は正面から見て樹脂成形体１より一回り小さく、樹脂成形体１に対応した略Ｔ字形状を有している。開口部２の外形は、正面側から見て縦約０．３５ｍｍ、横約２．８ｍｍで、下方へ突出した部分の開口部２の外形は、正面側から見て縦約０．３２５ｍｍ、横約１．２８〜２．２ｍｍである。樹脂成形体１の壁の厚み（開口部２の下面から樹脂成形体１の下面までの厚み）は、約０．０６３ｍｍである。
【００８０】
樹脂成形体１は、酸化チタンとワラストナイトを含有するポリフタルアミド樹脂により形成され、正負一対のリードフレーム６と一体に成形されている。一対のリードフレーム６は、表面に銀鍍金が施された銅合金製であり、その一部は一対のインナーリード６ａとして開口部２の底面を構成する。樹脂成形体１の外に延出する一対のアウターリード６ｂは、樹脂成形体１の一対の配置部３に沿うように屈曲させられている。配置部３のアウターリード６ｂの厚みは約０．１２５ｍｍである。
【００８１】
樹脂成形体１の開口部２（インナーリード６ａ上）には、発光素子８が載置される。発光素子８は、サファイア基板上に、窒化物半導体のｎ型層、活性層、ｐ型層が積層された青色（発光波長約４６０ｎｍ）発光可能な発光ダイオードである。発光素子８の電極は、上面（半導体層）側に設けられ、ボンディング用のパッド電極と、そのパッド電極から延伸した延伸電極と、を備えている。この発光素子８は、透光性であるシリコーン樹脂でインナーリード６ａに接着され、その各パッド電極は金のワイヤ９で正負のリードフレーム６と各々接続されている。
【００８２】
封止部材５は、開口部２の発光素子８及びワイヤ９を被覆するように充填されている。封止部材５には、母材となるシリコーン樹脂にＹＡＧ蛍光体が含有されており、その上面は、樹脂成形体１の上面と略同一面となっている。開口部２に充填される封止部材５の上面は、発光装置１０の発光面（前面）である。
【００８３】
実施例１の発光装置実装構造体１００では、以上のように構成された発光装置１０が、配線基板２０に実装される。本実施例の配線基板２０は厚み約０．６４ｍｍ、奥行き約１．７ｍｍであり、ガラスエポキシを基材２２とする。基材２２の厚みは、約０．５ｍｍであり、約０．２３ｍｍの深さの溝部２４ａが周縁に設けられている。正面から見た溝部２４ａの幅は、約１．７ｍｍ、奥行きは約１．１ｍｍである。基材２２には、厚み約７０μｍの銅の配線２１が、溝部２４ａよりも約０．２ｍｍ外側に成膜されている。従って、正面視で配線基板２０の凹部２４の開口面の幅は約２．１ｍｍであり、凹部２４の深さは溝部２４ａと配線２１の厚みを合わせた約０．３ｍｍである。なお、溝部２４ａが基材２２の周縁に設けられるため、凹部２４も配線基板２０の周縁に形成される。
【００８４】
配置部３のアウターリード６ａと配線２１は、接着剤７である半田によって電気的に接続する。凹部２４に収納された突出部４の高さ方向の厚み（凹部２４の開口面、すなわち配線２１の上面から突出部４の下面までの距離）は約０．１５ｍｍ、凹部２４に収納された開口部２の高さ方向の厚みは約０．０８８ｍｍである。また、突出部４の下面と凹部２４の底面との離間距離は、約０．１５ｍｍである。
【００８５】
実施例１の照明装置１０００は、図１３に示されるように、発光装置実装構造体１００と、導光部材８０と、反射シート６１とを有する。実施例１では、光反射性部材としてポリエチレンテレフタレート（ＰＥＴ）にチタン酸バリウムを含有させたシート状の反射シート６１が凹部２４（溝部２４ａ）に配置される。この反射シート６１は、予め、上面視で見て配線基板２０の凹部２４（溝部２４ａ）に対応するような複数の凸部６２を有する形状に加工され、図８のように発光装置実装後に凹部２４に差し込まれるものである。従って、反射シート６１の凸部６２は、上面視で見て、配線基板２０の凹部２４（溝部２４ａ）と略同じ程度又は小さく形成され、約１．２ｍｍ×０．５ｍｍである。光反射性部材である反射シート６１の厚みは、約１００μｍである。なお、図１３では３つの発光装置１０が配線基板２０に実装された発光装置実装構造体１００と、上面視で周縁に３つの凸部６２を有する反射シート６１が示されているが、実装される発光装置１０と反射シート６１の凸部６２の数はこれに限定されない。
【００８６】
本実施例の導光部材８０は、略平板状であり、反射シート６１の上方且つ配線基板２０の基材２２上に配置される。導光部材８０の厚みは、約０．８２ｍｍであり、導光部材８０の入光部８０Ａは発光装置実装構造体１００の発光装置１０の開口部２の略全域に対向するように配置される。
【００８７】
本発明に係る発光装置実装構造体は、液晶ディスプレイのバックライト光源、各種照明器具、大型ディスプレイ、広告や行き先案内等の各種表示装置、さらには、デジタルビデオカメラ、ファクシミリ、コピー機、スキャナ等における画像読取装置、プロジェクタ装置などに利用することができる。
【符号の説明】
【００８８】
１００,２００,３００…発光装置実装構造体
１０００…照明装置
１０，１２,１３,１０Ａ,１０Ｂ…発光装置
１,１Ａ，１Ｂ…樹脂成形体
２,２Ａ,２Ｂ…開口部
３…配置部
４，４Ａ,４Ｂ…突出部
ａ…突出部の高さ方向の厚み
ｂ…凹部に収納された突出部の高さ方向の厚み
ｃ…配置部のアウターリードと、配線とアウターリード間の接着剤を合わせた厚み
（配置部下面から配線上面までの距離）
５…封止部材
６…リードフレーム
６ａ,６ａＡ…アウターリード
６ｂ…インナーリード
７…接着剤
８…発光素子
９…ワイヤ
２０,３０,５０…配線基板
２０Ａ…端面
２１,３１,５１…配線
２２,３２,５２…基材
２３,３３…構成層
２４,３４,５４,６４,７４…凹部
２４ａ,５４ａ,６４ａ,７４ａ…溝部
６０…光反射性部材
６１…反射シート
６２…（光反射性部材の）凸部
Ｂ…切り込み線
８０…導光部材
８０Ａ…入光部
８０Ｂ…（入光部と反対側の）側面
８１…（導光部材の）凸部
９０…ホルダー
【図１】
2015092551.tif 000003
【図２Ａ】
2015092551.tif 000004
【図２Ｂ】
2015092551.tif 000005
【図３】
2015092551.tif 000006
【図４】
2015092551.tif 000007
【図５】
2015092551.tif 000008
【図６Ａ】
2015092551.tif 000009
【図６Ｂ】
2015092551.tif 000010
【図６Ｃ】
2015092551.tif 000011
【図６Ｄ】
2015092551.tif 000012
【図６Ｅ】
2015092551.tif 000013
【図７】
2015092551.tif 000014
【図８】
2015092551.tif 000015
【図９Ａ】
2015092551.tif 000016
【図９Ｂ】
2015092551.tif 000017
【図１０】
2015092551.tif 000018
【図１１Ａ】
2015092551.tif 000019
【図１１Ｂ】
2015092551.tif 000020
【図１１Ｃ】
2015092551.tif 000021
【図１２】
2015092551.tif 000022
【図１３】
2015092551.tif 000023
【図１４Ａ】
2015092551.tif 000024
【図１４Ｂ】
2015092551.tif 000025